(57)【要約】【課題】大規模な駆動回路の搭載を可能とすると共に、ブラックマトリクスを低減し、光の利用効率を向上させる。【解決手段】投写型表示装置１０に含まれる液晶パネル２００の画素２０１において、走査線に平行な方向における非開口部２０４の幅は、走査線に平行な方向における開口部２０５の幅より大きい。投写型表示装置１０の光源装置１０１からの入射光は、マイクロレンズ２１１１で集光され、マイクロレンズ２１１１によって集光される光源光の中央部に、開口部２１１２が位置する。投写型表示装置１０によって表示領域に表示される画像では、液晶パネル２００Ｒ，２００Ｇ，２００Ｂの表示部に対応する部分がそれぞれ隣接し、液晶パネル２００Ｒの非開口部２０４に対応する部分と、液晶パネル２００Ｇ，２００Ｂの開口部２０５に対応する部分とが重なる。【選択図】図６
2008224742.tif 000002
【特許請求の範囲】
【請求項１】
第１基板と、
第２基板と、
前記第１基板と前記第２基板との間に位置する液晶層と、を含み、
前記第１基板が、第１データ線と、前記第１データ線と隣合う第２データ線と、前記第１及び第２データ線と交差する第１走査線と、前記第１及び第２データ線と交差し、前記第１走査線と隣合う第２走査線と、を有し、
前記第１及び第２データ線、並びに前記第１及び第２走査線に囲まれた画素領域に、光を透過する開口部と、光を透過しない非開口部とが形成され、前記非開口部にトランジスタが形成され、前記トランジスタが画素電極に電気的に接続され、前記開口部が前記画素電極と重なる位置にあり、前記非開口部の面積が前記開口部の面積より大きいものであり、
前記第２基板がマイクロレンズ部を有し、
前記マイクロレンズ部が前記第２の基板に入射した入射光を前記第１の基板方向へ出射するものであり、前記画素領域の面積と同等以上の面積を有する領域に入射した前記入射光を前記開口部に集光するものである、ことを特徴とする液晶パネル。
【請求項２】
前記マイクロレンズ部は、非球面レンズを含むことを特徴とする請求項１に記載の液晶パネル。
【請求項３】
前記マイクロレンズ部は、レンチキュラーレンズを含むことを特徴とする請求項１に記載の液晶パネル。
【請求項４】
前記マイクロレンズ部は、前記第２基板の前記入射光の入射する側より順に、前記入射光の入射する側に凸面を向けた第１のシリンドリカルレンズと、前記第２基板の前記入射光を出射する側に凸面を向けた第２のシリンドリカルレンズを備え、
前記第１のシリンドリカルレンズは、前記第２のシリンドリカルレンズより曲率半径が大きいことを特徴とする請求項１に記載の液晶パネル。
【請求項５】
前記マイクロレンズ部は、前記第２基板の前記入射光の入射する側より順に、前記入射光の入射する側に凸面を向けた非球面レンズと、前記第２基板の前記入射光を出射する側に凸面を向けた第２のシリンドリカルレンズを備えたことを特徴とする請求項１に記載の液晶パネル。
【請求項６】
前記マイクロレンズ部は、前記第２基板の前記入射光の入射する側より順に、前記入射光の入射する側に凸面を向け、前記入射光を液晶パネルの法線に対して第１の角度をなす第１の光に変化させる第１の非球面レンズと、前記第２基板の前記入射光の入射する側に凹面を向け、前記第１の光を前記法線に対して前記第１の角度よりも小さい第２の角度をなす第２の光に変化させる第２の非球面レンズを備えたことを特徴とする請求項１に記載の液晶パネル。
【請求項７】
画像を形成する電子機器であって、
第１液晶パネルと、
第２液晶パネルと、を含み、
前記画像がマトリクス状に配置された複数の画素を有し、
前記複数の画素の各々が互いに隣接する第１サブ画素と第２サブ画素とを有し、
前記第１サブ画素の表示が前記第１液晶パネルの駆動によって制御され、
前記第２サブ画素の表示が前記第２液晶パネルの駆動によって制御され、
前記第１液晶パネルが、第１基板と、第２基板と、前記第１基板と前記第２基板との間に位置する液晶層と、を含み、前記第１基板が、第１データ線と、前記第１データ線と隣合う第２データ線と、前記第１及び第２データ線と交差する第１走査線と、前記第１及び第２データ線と交差し、前記第１走査線と隣合う第２走査線と、を有し、前記第１及び第２データ線、並びに前記第１及び第２走査線に囲まれた第１画素領域に光を透過する第１開口部と、光を透過しない第１非開口部とが形成され、前記第２基板がマイクロレンズ部を有し、前記マイクロレンズ部が前記第２の基板に入射した入射光を前記第１の基板方向へ出射するものであり、前記画素領域の面積と同等以上の面積を有する領域に入射した前記入射光を前記開口部に集光するものである、ことを特徴とする電子機器。
【請求項８】
画像を形成する電子機器であって、
第１〜第Ｎの液晶パネルと、
前記第１〜第Ｎの液晶パネルに光を照射する光源と、を備え、
前記第１〜第Ｎの液晶パネルの各々は、
複数のデータ線と、
前記複数のデータ線に交差して配置された複数の走査線と、
前記複数のデータ線と前記複数の走査線の交差に対応して形成される複数の画素領域と、
前記複数の画素領域と前記光源との間に設けられ、前記光源から照射された前記光を集光するマイクロレンズ部を備え、
前記複数の画素領域の各々は、開口部と非開口部を備え、
前記複数の走査線が延在する方向における前記開口部の幅が、前記複数の走査線が延在する方向における前記画素領域の幅と、前記複数の走査線が延在する方向における前記複数のデータ線の１本の幅と、の合計のＮ分の１であり、
前記マイクロレンズ部が、前記光のうち前記画素領域の面積と同等以上の面積を有する領域に入射した入射光を前記開口部に集光するものであり、
前記画像のうち、前記第１液晶パネルに備えられた非開口部に対応する部分と、前記第２〜第Ｎ液晶パネルに備えられた開口部に対応する部分とが重なることを特徴とする電子機器。
【発明の詳細な説明】
【技術分野】
【０００１】
本発明は液晶パネルおよび電子機器に関するものである。
【背景技術】
【０００２】
画像を形成する電子機器のうち、例えば画像を投写して表示する投写型表示装置には、液晶パネルが用いられている。特許文献１等に開示されている従来の投写型表示装置では、一画素分の光が各色に対応した液晶パネルから各々供給され、それらの光が重なり合って所望の色を再現している。近年、動作速度の高速化などの要求にこたえるために駆動回路の規模を増大することが必要となっている。駆動回路の領域を広くすると、ブラックマトリクスと呼ばれる光を通さない領域が増加する。ブラックマトリクスは画質の低下の一因となるため、低減することが求められる。さらに、駆動回路の領域を広くした場合、液晶層を備えた表示部の領域がその分狭くなるため、光の利用効率が低下し、画像の輝度が低下してしまうという問題がある。
【特許文献１】特開２００５−２７５１７９号公報
【発明の開示】
【発明が解決しようとする課題】
【０００３】
そこで本発明は、液晶パネルを用いた電子機器において、大規模な駆動回路の搭載を可能にすると共に、ブラックマトリクスを低減し、光の利用効率を向上させることを目的とする。
【課題を解決するための手段】
【０００４】
本発明に係る液晶パネルは、第１基板と、第２基板と、前記第１基板と前記第２基板との間に位置する液晶層と、を含み、前記第１基板が、第１データ線と、前記第１データ線と隣合う第２データ線と、前記第１及び第２データ線と交差する第１走査線と、前記第１及び第２データ線と交差し、前記第１走査線と隣合う第２走査線と、を有し、前記第１及び第２データ線、並びに前記第１及び第２走査線に囲まれた画素領域に、光を透過する開口部と、光を透過しない非開口部とが形成され、前記非開口部にトランジスタが形成され、前記トランジスタが画素電極に電気的に接続され、前記開口部が前記画素電極と重なる位置にあり、前記非開口部の面積が前記開口部の面積より大きいものであり、前記第２基板がマイクロレンズ部を有し、前記マイクロレンズ部が前記第２の基板に入射した入射光を前記第１の基板方向へ出射するものであり、前記画素領域の面積と同等以上の面積を有する領域に入射した前記入射光を前記開口部に集光するものである。
本発明に係る液晶パネルでは、非開口部に駆動回路を配置することができ、さらに非開口部の面積が開口部の面積よりも大きいため、大規模な駆動回路の搭載も可能となる。
また、マイクロレンズ部によって入射光を開口部に集光することができるので、光の利用効率を向上させることができる。
【０００５】
前記マイクロレンズ部は、非球面レンズを含むことが望ましい。非球面レンズを用いることにより、球面収差が抑えられ、集光効率を高くすることができる。
【０００６】
また、前記マイクロレンズ部は、光の集光効率のよいレンチキュラーレンズを含むようにしてもよい。
なお、前記マイクロレンズ部は、球面レンズなどを用いるようにしてもよい。
【０００７】
また、前記マイクロレンズ部は、前記第２基板の前記入射光の入射する側より順に、前記入射光の入射する側に凸面を向けた第１のシリンドリカルレンズと、前記第２基板の前記入射光を出射する側に凸面を向けた第２のシリンドリカルレンズを備え、前記第１のシリンドリカルレンズは、前記第２のシリンドリカルレンズより曲率半径が大きいものとすることができる。
マイクロレンズ部をこのように構成することにより、開口部に効率良く集光することができる。
【０００８】
また、前記マイクロレンズ部は、前記第２基板の前記入射光の入射する側より順に、前記入射光の入射する側に凸面を向けた非球面レンズと、前記第２基板の前記入射光を出射する側に凸面を向けた第２のシリンドリカルレンズを備えたものとすることができる。
マイクロレンズ部をこのように構成することにより、開口部に効率良く集光することができる。
【０００９】
また、前記マイクロレンズ部は、前記第２基板の前記入射光の入射する側より順に、前記入射光の入射する側に凸面を向け、前記入射光を液晶パネルの法線に対して第１の角度をなす第１の光に変化させる第１の非球面レンズと、前記第２基板の前記入射光の入射する側に凹面を向け、前記第１の光を前記法線に対して前記第１の角度よりも小さい第２の角度をなす第２の光に変化させる第２の非球面レンズを備えたものとすることができる。
マイクロレンズ部をこのように構成することにより、開口部に効率良く集光することができる。
【００１０】
本発明に係る電子機器は、画像を形成する電子機器であって、第１液晶パネルと、第２液晶パネルと、を含み、前記画像がマトリクス状に配置された複数の画素を有し、前記複数の画素の各々が互いに隣接する第１サブ画素と第２サブ画素とを有し、前記第１サブ画素の表示が前記第１液晶パネルの駆動によって制御され、前記第２サブ画素の表示が前記第２液晶パネルの駆動によって制御され、前記第１液晶パネルが、第１基板と、第２基板と、前記第１基板と前記第２基板との間に位置する液晶層と、を含み、前記第１基板が、第１データ線と、前記第１データ線と隣合う第２データ線と、前記第１及び第２データ線と交差する第１走査線と、前記第１及び第２データ線と交差し、前記第１走査線と隣合う第２走査線と、を有し、前記第１及び第２データ線、並びに前記第１及び第２走査線に囲まれた第１画素領域に光を透過する第１開口部と、光を透過しない第１非開口部とが形成され、前記第２基板がマイクロレンズ部を有し、前記マイクロレンズ部が前記第２の基板に入射した入射光を前記第１の基板方向へ出射するものであり、前記画素領域の面積と同等以上の面積を有する領域に入射した前記入射光を前記開口部に集光するものである。
【００１１】
本発明に係る電子機器では、液晶パネルの画素領域において非開口部を利用することができるため、液晶パネルに大規模な駆動回路を搭載させることができる。
また、マイクロレンズ部によって入射光を開口部に集光することができるので、光の利用効率を向上させることができる。
【００１２】
本発明に係る電子機器は、画像を形成する電子機器であって、第１〜第Ｎの液晶パネルと、前記第１〜第Ｎの液晶パネルに光を照射する光源と、を備え、前記第１〜第Ｎの液晶パネルの各々は、複数のデータ線と、前記複数のデータ線に交差して配置された複数の走査線と、前記複数のデータ線と前記複数の走査線の交差に対応して形成される複数の画素領域と、前記複数の画素領域と前記光源との間に設けられ、前記光源から照射された前記光を集光するマイクロレンズ部を備え、前記複数の画素領域の各々は、開口部と非開口部を備え、前記複数の走査線が延在する方向における前記開口部の幅が、前記複数の走査線が延在する方向における前記画素領域の幅と、前記複数の走査線が延在する方向における前記複数のデータ線の１本の幅と、の合計のＮ分の１であり、前記マイクロレンズ部が、前記光のうち前記画素領域の面積と同等以上の面積を有する領域に入射した入射光を前記開口部に集光するものであり、前記画像のうち、前記第１液晶パネルに備えられた非開口部に対応する部分と、前記第２〜第Ｎ液晶パネルに備えられた開口部に対応する部分とが重なるものである。
【００１３】
これにより、画像のうち、第１の液晶パネルの非開口部に起因するブラックマトリクスを、残りのＮ−１枚の液晶パネルの開口部に対応した部分で隠すことができる。
また、マイクロレンズ部によって入射光を開口部に集光することができるので、光の利用効率を向上させることができる。
【発明を実施するための最良の形態】
【００１４】
以下、本発明の実施の形態について図面を参照して説明する。
実施の形態１．
図１は、本発明による電子機器として、投写型表示装置１０の構成を示す図である。投写型表示装置１０は、光源装置１０１、ダイクロイックミラー１１２，１１４と、ミラー１１６，１２２，１２４、本発明による液晶パネル２００Ｒ，２００Ｇ，２００Ｂ、クロスダイクロイックプリズム１６０、および投写レンズ系１８０を備えている。
【００１５】
光源装置１０１から射出された照明光は、ダイクロイックミラー１１２に入射する。ダイクロイックミラー１１２は、照明光の赤色光成分（Ｒ）のみを透過させ、緑色光成分（Ｇ）および青色光成分（Ｂ）を反射する。ダイクロイックミラー１１２を透過した赤色光は、ミラー１１６で反射され、赤色光用の液晶パネル２００Ｒに達する。ダイクロイックミラー１１２で反射された青色光と緑色光のうちで、緑色光はダイクロイックミラー１１４によって反射され、緑色光用の液晶パネル２００Ｇに達する。一方、青色光はダイクロイックミラー１１４を透過し、ミラー１２２，１２４で反射されて青色光用の液晶パネル２００Ｂに達する。
【００１６】
液晶パネル２００Ｒ，２００Ｇ，２００Ｂは、与えられた画像情報（画像信号）に従って、３色の色光をそれぞれ変調する。クロスダイクロイックプリズム１６０は、３枚の液晶パネル２００Ｒ，２００Ｇ，２００Ｂでそれぞれ変調された３色の色光を合成してカラー画像を形成する。クロスダイクロイックプリズム１６０で生成された合成光は、投写レンズ系１８０の方向に射出される。投写レンズ系１８０は、クロスダイクロイックプリズム１６０で生成された合成光を投写スクリーンＳＣ上に拡大投写して、カラー画像を表示する。
【００１７】
図２は、本発明による液晶パネル２００の回路構成を示す図である。液晶パネルは、少なくとも複数の走査線２０３と、複数のデータ線２０２と、各走査線２０３と各データ線２０２の交点に対応して設けられた画素２０１とを含むアクティブマトリクス型の表示装置である。
各データ線２０２には、シフトレジスタ、レベルシフタ、ビデオライン及びアナログスイッチを備えるデータ線駆動回路２０６が接続されている。各走査線２０３には、シフトレジスタ及びレベルシフタを備える走査線駆動回路２０７が接続されている。
複数の画素２０１の各々は画素領域を含む。各画素領域は、２つの走査線２０３と２つのデータ線２０２とに囲まれた領域であって、走査線２０３のうちデータ線２０２と交差する方向に延在する部分、及びデータ線２０２のうち走査線２０３と交差する方向に延在する部分とに重ならない領域である。各画素領域は、光を透過する開口部２０５と、光を透過しない非開口部２０４とを含む。
なお、本発明において、画素とは、開口部における光の透過を調整するための一群の構造を含む単位を意味し、後述するトランジスタ、保持容量、画素電極を含むものである。また、当該トランジスタのオン／オフを制御する走査線の一部、当該トランジスタにデータ信号を供給するデータ線の一部、当該保持容量の一対の電極をなす配線の一部も、画素の構成に含むものであってもよい。また、開口部とは、液晶パネルにおいて、光を透過することのできる部分を意味する。
【００１８】
図３は、各画素２０１の回路構成図である。各画素２０１はトランジスタを有する。トランジスタは第１の端子と第２の端子とゲート電極とを有する。第１の端子はデータ線と電気的に接続される。第２の端子は画素電極及び保持容量の一方の電極と電気的に接続される。ゲート電極は走査線と電気的に接続される。走査線２０３を介して走査信号がゲート電極に供給され、トランジスタのオン／オフを制御する。トランジスタがオンのとき、データ線２０２からデータ信号が第１の端子（ソース領域）及び第２の端子（ドレイン領域）を介して画素電極に供給される。そのとき、データ信号は保持容量２０９に保持される。データ信号が画素電極に供給されると、画素電極と対向電極との間の液晶層にデータ信号の電位に応じた電圧がかかり、液晶層を構成する分子の向きを調整することが可能となる。例えば偏光板と組み合わせることで、光透過状態と光遮断状態とを制御することがでる。また、保持容量２０９にもデータ信号が供給されて駆動電圧が保持されるため、トランジスタ２０８がオフになっても画素電極に印加される駆動電圧が保持される。
【００１９】
図４は、画素２０１の構成を示す平面図である。図に示すように、トランジスタ２０８（チャネル領域２０８１、ソース領域２０８２、ドレイン領域２０８３を含む。）は、平面視において、データ線２０２と重なる位置に形成されている。走査線２０３の延在する方向における開口部２０５の幅は、走査線２０３の延在する方向における画素領域の幅と、走査線２０３の延在する方向における１本のデータ線２０２の幅との合計の３分の１になるよう設定されている。そして、保持容量２０９は、走査線２０３の延在する方向における画素領域の幅と、走査線２０３の延在する方向における１本のデータ線２０２の幅との合計の３分の２になるよう設定されている。
【００２０】
図５は、比較例による画素の構成を示す平面図である。基板側から遮光膜を兼ねた走査線２０３、半導体膜（チャネル領域２０８１、ソース領域２０８２、ドレイン領域２０８３を含む。）、ゲート電極２１４、ドレイン電極２１８、容量線２１３、データ線２０２、画素電極２１０、の順に積層されている。走査線２０３はふたつのコンタクトホールを介してゲート電極２１４に電気的に接続されている。ドレイン電極２１８はコンタクトホールを介して半導体膜のドレイン領域２０８３に電気的に接続されている。データ線２０２はコンタクトホールを介して半導体膜のソース領域２０８２に電気的に接続されている。画素電極２１０はコンタクトホールを介してドレイン電極２１８と電気的に接続されている。
図に示すように比較例では、画素領域全体に画素電極が形成されており、ドレイン電極２１８と画素電極２１０とを接続するコンタクトホールの部分を除いた領域が開口部２０５として利用されている。そして、保持容量２０９は、容量線２１３を一方の電極とし、ドレイン電極２１８を他方の電極とするよう構成され、データ線２０２及び走査線２０３上に形成されている。図４に示す本実施形態と比較すると、保持容量２０９を画素領域に形成することができないため、保持容量２０９の面積が小さくなっている。
【００２１】
図６は、本発明による液晶パネルの構成例を模式的に示す断面図である。図に示すように、液晶パネル２００は、半導体基板２１０１と、対向基板２１０２と、半導体基板２１０１と対向基板２１０２との間に配置された液晶層２１０３とを有している。
【００２２】
半導体基板２１０１は、ガラス基板上に画素電極と薄膜トランジスタが形成されている。
対向基板２１０２は、透明導電膜（共通電極）２１０７、ガラス層２１０８、樹脂層２１０９、ガラス基板２１１０を備えている。
【００２３】
樹脂層２１０９はマイクロレンズ２１１１を形成しており、マイクロレンズ２１１１の光軸Ｑに対応した位置を中心にして開口部２１１２が形成されており、その周囲にブラックマトリクスＢＭが形成されている。
【００２４】
ガラス基板２１１０側から入射した入射光Ｌは、マイクロレンズ２１１１を通過する際に集光され、開口部２１１２を透過する。これにより、ブラックマトリクスＢＭによって遮断される光の割合が少なくなり、光の利用効率が高まるので、比較的小さい光量でも明るい画像を形成することができる。
【００２５】
図７は、マイクロレンズ２１１１によって集光された入射光Ｌが画素２０１を透過した状態を示す平面図である。マイクロレンズ２１１１としては例えば非球面レンズを用いることができる。非球面レンズを用いることにより球面収差が抑えられ、集光効率を高くすることができる。また、非球面レンズの曲率を、データ線に沿った方向および走査線に沿った方向でそれぞれ調節することにより、図７に示すように、開口部２０５の形状に合わせて入射光Ｌを集光させることができる。
【００２６】
また、図８に示すような、シリンドリカルレンズを並列したレンチキュラーレンズをマイクロレンズ２１１１として用いても、高い集光効率を得ることができる。
【００２７】
図９は、本発明による液晶パネルを用いた投写型表示装置による画像表示を説明する図、図１０は、比較例による液晶パネルを用いた投写型表示装置による画像表示を説明する図である。
本発明による液晶パネル２００Ｒ，２００Ｇ，２００Ｂでは、開口部２０５の面積が比較例に対して３分の１になっており、各々の液晶パネルからの光をクロスダイクロイックプリズム１６０で合成すると、図中３００に示すようになる。図に示すように、合成光では、各色が重ならずに接触して並ぶように各々の光路を調整する。各色の光の強さを調節することにより、所望の色を表現している。
【００２８】
一方、図１０に示す比較例の液晶パネルでは、それぞれの液晶パネルからの光が重なり合って所望の色を表現する合成光３００が形成される。図に示すように、一画素の周囲に光を通さない領域（ブラックマトリクス）ＢＭが形成される。ブラックマトリクスは、データ線２０２や走査線２０３や画素領域の非開口部２０４などの形成されている領域であり、これらは表示画像の輝度低下や画質の低下の原因となる。
【００２９】
本発明による液晶パネルを用いた投写型表示装置では、各色の液晶パネルからの光が接触して並ぶように調整されているため、データ線２０２に平行な方向（図の縦方向）のブラックマトリクスはスクリーン上では隠され、形成されない。また、走査線２０３に平行な方向（図の横方向）のブラックマトリクスについても細くすることができる。これは、非開口部２０４に保持容量２０９が形成できるため、走査線２０３上に保持容量２０９を形成する必要がなく、走査線２０３を細くすることが可能だからである。以上のことから、本発明による液晶パネルを用いた投写型表示装置では、比較例に比べてブラックマトリクスの領域がかなり減少する。
【００３０】
さらに、図５にも示したように、比較例ではこのブラックマトリクスの領域にトランジスタ２０８や保持容量２０９などの非開口部２０４が形成されているが、本発明の液晶パネルによれば、走査線２０３の延在する方向における開口部２０５の幅を、走査線２０３の延在する方向における画素領域の幅と、走査線２０３の延在する方向における１本のデータ線２０２の幅との合計の３分の１になるよう設定できるため、画素領域における非開口部２０４の面積が大きくなり、非開口部２０４を利用して大きな保持容量２０９を形成することができ、回路の安定性が向上する。また、非開口部２０４に、複数のトランジスタを形成することも可能となり、保持容量に代えて、ＳＲＡＭ等のメモリを形成することも可能である。
【００３１】
また、トランジスタ２０８や保持容量２０９の大きさは変えずに、画素全体を小さくすることも可能なため、装置全体を小さくすることもできる。
また、非開口部２０４の面積を広くとることにより、光源装置１０１からの入射光がトランジスタ２０８に直接当りにくくなり、薄膜トランジスタに光があたることによって発生するリーク電流を抑えることができ、階調ずれが解消される。
【００３２】
さらに、光源装置１０１からの入射光は、マイクロレンズ２１１１で集光され、集光された光の中央部に、画素２０１の開口部２０５が位置しているので、光の利用効率が高まり、比較的小さい光量でも明るい画像を形成することができる。
【００３３】
また、投写型表示装置１０に含まれる液晶パネルの数は３枚に限らず、任意の枚数の液晶パネルから構成される投写型表示装置１０に適用できる。ｎ枚の液晶パネルから構成される場合には、開口部２０５の面積は、データ線２０２と走査線２０３によって囲まれる領域のｎ分の１とすることができる。
【００３４】
また、本実施形態では、投写型表示装置１０を形成する液晶パネル２００Ｒ，２００Ｇ，２００Ｂは、いずれも非開口部２０４が画素２０１の左側に配置され、右側に開口部２０５が形成されているが、開口部２０５の配置位置はこれに限られない。例えば、開口部２０５を画素の中央部に配置し、両側に非開口部２０４を配置するようにしてもよい。また、開口部２０５の配置位置が液晶パネル２００Ｒ，２００Ｇ，２００Ｂで全て同じでなくとも良い。クロスダイクロイックプリズム１６０による合成光が図９に示す合成光３００のようになっていれば、それぞれの液晶パネルで異なる配置であってもよい。
【００３５】
実施の形態２．
図１１は、実施の形態２による、液晶パネルのマイクロレンズの構成を模式的に示す断面図である。
図に示すように、実施の形態２では、液晶パネルは光の入射側より順に、マイクロレンズ２１１１ａとマイクロレンズ２１１１ｂを備えている。マイクロレンズ２１１１ａは光源側に凸面を向けたシリンドリカルレンズであり、マイクロレンズ２１１１ｂは光源側に平面を向けたシリンドリカルレンズである。また、マイクロレンズ２１１１ａは、マイクロレンズ２１１１ｂよりも曲率半径が大きい。
【００３６】
図に示すように、入射光Ｌはマイクロレンズ２１１１ａによって集光され、マイクロレンズ２１１１ｂによって平行化される。このようにマイクロレンズ２１１１ａとマイクロレンズ２１１１ｂの曲率を適切に選択することにより、開口部２０５の形状に合わせて効率良く入射光Ｌを集光させることができる。
なお、マイクロレンズ２１１１ａとして、光源側に凸面を向けた非球面レンズを用いても同様の効果が得られる。
【００３７】
実施の形態３．
図１２は、実施の形態３による、液晶パネルのマイクロレンズの構成を模式的に示す断面図である。
図に示すように、実施の形態３では、液晶パネルは光の入射側より順に、マイクロレンズ２１１１ａとマイクロレンズ２１１１ｂを備えている。マイクロレンズ２１１１ａは光源側に凸面を向けた非球面レンズであり、マイクロレンズ２１１１ｂは光源側に凹面を向けた非球面レンズである。
【００３８】
図に示すように、入射光Ｌはマイクロレンズ２１１１ａを透過することによって液晶パネル２００の法線ｎに対してθ１の角度をなすように変化する。さらに、マイクロレンズ２１１１ｂを透過することによって、法線ｎに対してθ１よりも小さい角度θ２をなすように変化する。このようにマイクロレンズ２１１１ａとマイクロレンズ２１１１ｂを形成することにより、開口部２０５の形状に合わせて効率良く入射光Ｌを集光させることができる。
【図面の簡単な説明】
【００３９】
【図１】図１は、本発明による投写型表示装置の構成を示す図である。
【図２】図２は、本発明による液晶パネルの回路構成を示す図である。
【図３】図３は、各画素の回路構成図である。
【図４】図４は、画素の平面構成を示す図である。
【図５】図５は、比較例による画素の構成を示す平面図である。
【図６】図６は、本発明による液晶パネルの構成例を模式的に示す断面図である。
【図７】図７は、マイクロレンズによる入射光の集光を説明する図である。
【図８】図８は、液晶パネルのマイクロレンズとしてレンチキュラーレンズを用いた場合の構成を模式的に示す斜視図である。
【図９】図９は、本発明による液晶パネルを用いた投写型表示装置による画像表示を説明する図である。
【図１０】図１０は、比較例による液晶パネルを用いた投写型表示装置による画像表示を説明する図である。
【図１１】図１１は、実施の形態２による、液晶パネルのマイクロレンズの構成を模式的に示す断面図である。
【図１２】図１２は、実施の形態２による、液晶パネルのマイクロレンズの構成を模式的に示す断面図である。
【符号の説明】
【００４０】
１０  投写型表示装置、１０１  光源装置、１１２，１１４  ダイクロイックミラー、１１６，１２２，１２４  ミラー、２００，２００Ｒ，２００Ｇ，２００Ｂ  液晶パネル、１６０  クロスダイクロイックプリズム、１８０  投写レンズ系、２０１  画素、２０２  データ線、２０３  走査線、２０４  非開口部、２０５  開口部、２０６  データ線駆動回路、２０７  走査線駆動回路、２０８  トランジスタ、２０９  保持容量、２０８１  ゲート領域、２０８２  ソース領域、２０８３  ドレイン領域、２１０  画素電極、２１１  ドレイン電極と画素電極とのコンタクトホール、２１２  液晶、２１３  容量線、２１４  ゲート電極、２１５  ソース領域とデータ線とを接続するコンタクトホール、２１６  ゲート電極と走査線とを接続するコンタクトホール、２１７  ドレイン領域とドレイン電極とのコンタクトホール、２１８  ドレイン電極、２１０１  半導体基板、２１０２  対向基板、２１０３  液晶層、２１０７  透明導電膜、２１０８  ガラス層、２１０９  樹脂層、２１１０  ガラス基板、２１１１  マイクロレンズ、２１１２  開口部
【図１】
2008224742.tif 000003
【図２】
2008224742.tif 000004
【図３】
2008224742.tif 000005
【図４】
2008224742.tif 000006
【図５】
2008224742.tif 000007
【図６】
2008224742.tif 000008
【図７】
2008224742.tif 000009
【図８】
2008224742.tif 000010
【図９】
2008224742.tif 000011
【図１０】
2008224742.tif 000012
【図１１】
2008224742.tif 000013
【図１２】
2008224742.tif 000014